(57)【要約】【課題】昇降路におけるエレベータ装置の設置に利用できる空間を阻害することを抑制しつつエレベータ装置を梁に固定できるエレベータの改修方法を提供する。【解決手段】エレベータホール１５に隣接する昇降路１４に設けられたエレベータの改修方法である。積載空間２４を形成するカゴユニット２１を撤去するカゴ撤去工程と、昇降路１４に設けられた昇降ユニット２２を撤去する昇降撤去工程と、エレベータホール１５と昇降路１４との間に設けられた扉ユニット２３を撤去する扉撤去工程と、の中で、扉撤去工程を最後に行う。【選択図】図２
2019167214.tif 000002
【特許請求の範囲】
【請求項１】
エレベータホールに隣接する昇降路に設けられたエレベータの改修方法であって、
積載空間を形成するカゴユニットを撤去するカゴ撤去工程と、
前記昇降路に設けられた昇降ユニットを撤去する昇降撤去工程と、
前記エレベータホールと前記昇降路との間に設けられた扉ユニットを撤去する扉撤去工程と、の中で、前記扉撤去工程を最後に行うことを特徴とするエレベータの改修方法。
【請求項２】
前記扉撤去工程の後であって、
新たなカゴユニットを設置するカゴ設置工程と、
新たな昇降ユニットを設置する昇降設置工程と、
新たな扉ユニットを設置する扉設置工程と、の中で、前記扉設置工程を最初に行うことを特徴とする請求項１に記載のエレベータの改修方法。
【請求項３】
前記カゴ撤去工程および前記昇降撤去工程を行った後であって、前記扉撤去工程を行う前に、前記昇降路を構成する構成部材を交換する交換工程を行うことを特徴とする請求項１または請求項２に記載のエレベータの改修方法。
【請求項４】
前記扉設置工程を行った後であって、前記カゴ設置工程および前記昇降設置工程を行う前に、前記昇降路を構成する構成部材を交換する交換工程を行うことを特徴とする請求項２に記載のエレベータの改修方法。
【請求項５】
前記カゴ撤去工程および前記昇降撤去工程を行うときは、前記扉ユニットを閉じた状態で固定していることを特徴とする請求項１から請求項４までのいずれか１項に記載のエレベータの改修方法。
【請求項６】
前記カゴ設置工程および前記昇降設置工程を行うときは、前記新たな扉ユニットを閉じた状態で固定していることを特徴とする請求項２または請求項４に記載のエレベータの改修方法。
【発明の詳細な説明】
【技術分野】
【０００１】
本開示は、エレベータ装置を改修するエレベータの改修方法に関する。
【背景技術】
【０００２】
建物では、エレベータ装置を設けることが考えられている（例えば、特許文献１参照）。このエレベータ装置は、建物内に設けられた昇降路に昇降ユニットが設けられるとともに、各階のエレベータホールと昇降路との間に扉ユニットが設けられ、昇降ユニットによりカゴユニットが昇降路内を上下に移動可能とされて構成されている。
【先行技術文献】
【特許文献】
【０００３】
【特許文献１】特開平０８−２４５１１２号公報
【発明の概要】
【発明が解決しようとする課題】
【０００４】
ところで、エレベータ装置は、例えば、交換や撤去等のための改修が行われる。その改修の作業は、住人等が建物を利用したままで行われることがある。ここで、建物では、エレベータ装置が設けられる昇降路が各階を跨いで上下に伸びる空間とされている。これらのことから、改修の作業では、安全の確保のために、扉ユニットが設けられる箇所すなわち各階のエレベータホールと昇降路との間を塞いで昇降路への進入を防止するための進入防止工程を行う必要がある。
【０００５】
本開示は、上記の事情に鑑みて為されたもので、昇降路への進入を防止する進入防止工程を行うことなく昇降路への侵入を防止できるエレベータの改修方法を提供することを目的とする。
【課題を解決するための手段】
【０００６】
上記した目的を達成するために、本開示のエレベータの改修方法は、エレベータホールに隣接する昇降路に設けられたエレベータの改修方法であって、積載空間を形成するカゴユニットを撤去するカゴ撤去工程と、前記昇降路に設けられた昇降ユニットを撤去する昇降撤去工程と、前記エレベータホールと前記昇降路との間に設けられた扉ユニットを撤去する扉撤去工程と、の中で、前記扉撤去工程を最後に行うことを特徴とする。ここで、前記扉撤去工程の後であって、新たなカゴユニットを設置するカゴ設置工程と、新たな昇降ユニットを設置する昇降設置工程と、新たな扉ユニットを設置する扉設置工程と、の中で、前記扉設置工程を最初に行うこととすることができる。
【０００７】
また、前記カゴ撤去工程および前記昇降撤去工程を行った後であって、前記扉撤去工程を行う前に、前記昇降路を構成する構成部材を交換する交換工程を行うこととすることができる。さらに、前記扉設置工程を行った後であって、前記カゴ設置工程および前記昇降設置工程を行う前に、前記昇降路を構成する構成部材を交換する交換工程を行うこととすることができる。前記カゴ撤去工程および前記昇降撤去工程を行うときは、前記扉ユニットを閉じた状態で固定していることとすることができる。前記カゴ設置工程および前記昇降設置工程を行うときは、前記新たな扉ユニットを閉じた状態で固定していることとすることができる。
【発明の効果】
【０００８】
このように構成された本開示のエレベータの改修方法は、昇降路への進入を防止する進入防止工程を行うことなく昇降路への侵入を防止できる。
【０００９】
ここで、前記扉撤去工程の後であって、新たなカゴユニットを設置するカゴ設置工程と、新たな昇降ユニットを設置する昇降設置工程と、新たな扉ユニットを設置する扉設置工程と、の中で、前記扉設置工程を最初に行うこととすれば、新たなエレベータ装置を設置する際に、進入防止工程を行わなくても各新たな扉ユニットで各階のエレベータホールから昇降路への進入を防ぐことができる。また、前記カゴ撤去工程および前記昇降撤去工程を行った後であって、前記扉撤去工程を行う前に、前記昇降路を構成する構成部材を交換する交換工程を行うこととすれば、進入防止工程を行わなくても、各エレベータホールから昇降路への進入を各扉ユニットで防止しつつ昇降路に何もない状態で、交換工程を行うことができる。
【００１０】
さらに、前記扉設置工程を行った後であって、前記カゴ設置工程および前記昇降設置工程を行う前に、前記昇降路を構成する構成部材を交換する交換工程を行うこととすれば、進入防止工程を行わなくても、各エレベータホールから昇降路への進入を各扉ユニットで防止しつつ昇降路に何もない状態で、交換工程を行うことができる。前記カゴ撤去工程および前記昇降撤去工程を行うときは、前記扉ユニットを閉じた状態で固定していることとすれば、各エレベータホールから昇降路への進入をより確実に防止できる。前記カゴ設置工程および前記昇降設置工程を行うときは、前記新たな扉ユニットを閉じた状態で固定していることとすれば、各エレベータホールから昇降路への進入をより確実に防止できる。
【図面の簡単な説明】
【００１１】
【図１】本開示に係るエレベータの改修方法により改修される既存のエレベータ装置の構成を示す説明図である。
【図２】エレベータの改修方法におけるカゴ撤去工程の後であって各扉ユニットにより昇降路への進入を防止している様子を示す説明図である。
【図３】エレベータの改修方法における昇降撤去工程の後であって各扉ユニットにより昇降路への進入を防止している様子を示す説明図である。
【図４】エレベータの改修方法における扉撤去工程が行われる様子と、その後に扉設置工程が行われる様子と、を示す説明図である。
【図５】エレベータの改修方法における扉設置工程の後であって新たな各扉ユニットにより昇降路への進入を防止している様子を示す説明図である。
【図６】エレベータの改修方法における昇降設置工程の後であって新たな各扉ユニットにより昇降路への進入を防止している様子を示す説明図である。
【図７】エレベータの改修方法におけるカゴ設置工程の後であって新たなエレベータ装置が設けられた様子を示す説明図である。
【図８】交換工程において交換する構成部材の具体例を示す説明図である。
【図９】交換する構成部材の一例としての屋根補助梁を示す説明図である。
【図１０】図９のＩ−Ｉ線に沿って得られた断面図である。
【発明を実施するための形態】
【００１２】
以下に、本開示に係るエレベータの改修方法の一例としての実施例１のエレベータの改修方法について図面を参照しつつ説明する。
【実施例１】
【００１３】
本開示の実施例１のエレベータの改修方法について、図１から図１０を用いて説明する。エレベータの改修方法は、実施例１では、一例としてのユニット建物１０に設けられた既存のエレベータ装置２０を、新しいエレベータ装置２０Ａに交換するための改修に適用されている。
【００１４】
ユニット建物１０は、その一部が、図１に示すように、基礎の上に１階部分を形成する１階建物ユニット１１が設けられ、その上に２階部分を形成する２階建物ユニット１２が組付けられ、その上に３階部分を形成する３階建物ユニット１３が組付けられている。各建物ユニット（１１、１２、１３）は、工場で予め形成されて箱状とされており、各居室空間の床面を形成する床フレームと、各居室空間の天井面を形成する屋根フレームと、が鉛直方向に伸びる柱部材で連結されて構成されている。なお、実施例１のユニット建物１０は、１階建物ユニット１１、２階建物ユニット１２および３階建物ユニット１３により３階建てとされているが、その階数（組付ける数）は適宜設定すればよく、実施例１の構成に限定されない。
【００１５】
床フレームは、長方形状に枠組みされた床大梁の内側に複数の床小梁が架け渡されて構成されている。床フレームでは、床大梁や床小梁の一部が矩形状に枠組みされており、矩形状の昇降路開口が形成されている。屋根フレームは、長方形状に枠組みされた天井大梁の内側に複数の屋根補助梁が架け渡されて構成されている。屋根フレームでは、天井大梁や屋根補助梁の一部が矩形状に枠組みされており、矩形状の昇降路開口を形成している。
【００１６】
各建物ユニット（１１、１２、１３）では、床フレームの昇降路開口と屋根フレームの昇降路開口とは、鉛直方向で対向されており、両昇降路開口の間で鉛直方向に伸びる空間が昇降路１４とされる。そして、ユニット建物１０では、１階建物ユニット１１上に２階建物ユニット１２および３階建物ユニット１３が組付けられると、各昇降路開口が鉛直方向に並べられ、各建物ユニット（１１、１２、１３）の昇降路１４が鉛直方向で連続される。この昇降路１４にエレベータ装置２０が設けられる。ここで、ユニット建物１０において最上階となる３階建物ユニット１３の昇降路１４の最上部には、天井材が取り付けられ、上下に連続する昇降路１４の最上部が遮蔽されている。
【００１７】
各建物ユニット（１１、１２、１３）では、昇降路１４に隣接する空間がエレベータホール１５とされ、昇降路１４およびエレベータホール１５の両側の位置に設けられる空間に居室や階段やバスユニット等が適宜設置される。このため、ユニット建物１０では、各昇降路開口を形成する床大梁や床小梁や天井大梁や屋根補助梁の一部や、各昇降路開口を鉛直方向に連結する柱部材等が、昇降路１４を構成する構成部材１６（図３、図５参照）として機能する。
【００１８】
このユニット建物１０に設けられた既存のエレベータ装置２０は、カゴユニット２１と昇降ユニット２２と扉ユニット２３とを備える。カゴユニット２１は、人が乗り込んだり荷物等が載せられたりする積載空間２４を形成する。カゴユニット２１は、カゴ部２５に開閉可能なカゴ側扉部２６が設けられて構成され、積載空間２４への人の乗り降りや荷物の積み卸しが可能とされている。カゴユニット２１は、昇降ユニット２２により昇降される。
【００１９】
昇降ユニット２２は、カゴユニット２１を昇降路１４内で昇降させるために昇降路１４に設けられている。昇降ユニット２２は、一対のガイドレール３１と、支持部３２と、油圧ジャッキ３３と、油圧装置３４と、を有する。
【００２０】
一対のガイドレール３１は、支持部３２の移動を鉛直方向に案内するものであり、所定の間隔を置いて対向されて各建物ユニット（１１、１２、１３）の昇降路１４に設けられている。一対のガイドレール３１は、上端および下端に設けられたレールブラケットが昇降路１４の構成部材１６（床大梁や床小梁や天井大梁や屋根補助梁等）に固定されている。一対のガイドレール３１は、両建物ユニット（１１、１２）が組付けられると、１階建物ユニット１１に設けられた両上端部と２階建物ユニット１２に設けられた両下端部とが付き合わされた状態で連結部材により連結される。また、一対のガイドレール３１は、両建物ユニット（１２、１３）が組付けられると、２階建物ユニット１２に設けられた両上端部と３階建物ユニット１３に設けられた両下端部とが付き合わされた状態で連結部材により連結される。これにより、一対のガイドレール３１は、１階から３階までで上下に連続された３つの昇降路１４に跨って設けられる。
【００２１】
支持部３２は、カゴユニット２１が載せられる箇所となるもので、一対のガイドレール３１に設けられている。支持部３２は、ガイドロールまたはガイドシューとして構成されて各ガイドレール３１に沿って移動可能とされたガイド部材を介して各ガイドレール３１に設けられており、一対のガイドレール３１により鉛直方向に移動可能とされている。このため、支持部３２は、カゴユニット２１が載せられた状態で固定されることで、カゴユニット２１を一対のガイドレール３１に沿って移動可能とする。
【００２２】
油圧ジャッキ３３は、カゴユニット２１を支持する支持部３２を上下駆動するための駆動手段であり、複数の棒状部が外側から内側へと入れ子式に組み合わされて収納して構成されて伸縮可能とされている。油圧ジャッキ３３は、１階建物ユニット１１の昇降路１４内に設けられたエレベータ装置用基礎に固定されたスタンド３５に取り付けられている。油圧ジャッキ３３は、先端部が支持部３２に固定されており、駆動されると支持部３２を上下に移動させることにより、カゴユニット２１を上下に移動させる。
【００２３】
油圧装置３４は、油圧ジャッキ３３に油圧が導入することで、油圧ジャッキ３３を適宜伸縮させる。このため、昇降ユニット２２は、油圧装置３４からの油圧が油圧ジャッキ３３に導入されることで、支持部３２を介して、カゴユニット２１を昇降路１４内で適宜昇降させる。
【００２４】
扉ユニット２３は、各建物ユニット（１１、１２、１３）側に設けられる扉を構成するもので、昇降路１４とエレベータホール１５との間に設けられる。扉ユニット２３は、昇降路１４とエレベータホール１５とを区画して設けられた床小梁および屋根補助梁等に固定されて設けられる。扉ユニット２３は、扉枠部３６に開閉可能な建物側扉部３７が設けられて構成されており、自らが設けられた階数にカゴユニット２１が停まると、そのカゴ側扉部２６と連動して建物側扉部３７が開閉される。これにより、扉ユニット２３は、エレベータホール１５（各建物ユニット（１１、１２、１３）の空間）から昇降路１４への進入を防止しつつ、カゴユニット２１の積載空間２４への出入りを可能とする。
【００２５】
既存のエレベータ装置２０は、上記した構成のカゴユニット２１と昇降ユニット２２と扉ユニット２３とが、それぞれケーブル等を介して制御機構に接続されている。エレベータ装置２０は、カゴユニット２１のカゴ部２５や扉ユニット２３の扉枠部３６に設けられた操作パネルへの操作に応じて、制御機構が各ユニット（２１、２２、２３）を連動させることで、人や荷物等を所望の階まで運ぶことができる。
【００２６】
なお、既存のエレベータ装置２０から交換される新しいエレベータ装置２０Ａ（図７等参照）は、大きさやデザインや積載荷重等のうちの少なくとも１つ以上が異なることを除くと、基本的に既存のエレベータ装置２０と同様の構成であるので、等しい構成の個所には同じ符号の後にＡを付して示し、詳細な説明は省略する。
【００２７】
次に、エレベータの改修方法について、図１から図１０を用いて説明する。実施例１のエレベータの改修方法では、既存のエレベータ装置２０を昇降路１４から撤去し、その昇降路１４に新しいエレベータ装置２０Ａを設置する。これに先立って、ユニット建物１０において、エレベータ装置２０の各部品の搬出経路の養生を行う。各扉ユニット２３は、基本的に建物側扉部３７を閉じた状態で固定（ロック）しておく。また、実施例１では、エレベータ装置２０において、搬出を容易とするためにカゴユニット２１を１階に移動させる。
【００２８】
先ず、エレベータ装置２０のカゴユニット２１を撤去するカゴ撤去工程を行う。カゴ撤去工程は、カゴ部２５に設けられた操作パネル等の各部品を取り外すとともに、それらに接続された各種のケーブルを取り外す。その後、カゴ撤去工程は、昇降ユニット２２の支持部３２に載せられたカゴ部２５やカゴ側扉部２６を解体する。この解体した各部材は、１階建物ユニット１１の扉ユニット２３（建物側扉部３７）を開けて、昇降路１４から搬出する。その扉ユニット２３は、搬出するとき以外には上記したように閉じた状態でロックしておく。これにより、エレベータ装置２０は、図２に示すように、カゴユニット２１が撤去される。このカゴ撤去工程では、解体した各部材の搬出時に１階建物ユニット１１の扉ユニット２３が開かれることを除くと、各階の扉ユニット２３が閉じられた状態でロックされているので、いずれの階であってもエレベータホール１５から昇降路１４内に進入することが防止される。
【００２９】
次に、エレベータ装置２０の昇降ユニット２２を撤去する昇降撤去工程を行う。昇降撤去工程は、昇降路１４内に設けられた各種のスイッチやセンサやケーブル等を取り外し、支持部３２を解体して撤去する。その後、油圧装置３４を撤去し、油圧ジャッキ３３を適宜解体して撤去し、一対のガイドレール３１を解体して撤去し、スタンド３５を撤去する。この撤去した各部材は、１階建物ユニット１１の扉ユニット２３を開けて、昇降路１４から搬出する。その扉ユニット２３は、搬出するとき以外には上記したように閉じた状態でロックしておく。これにより、エレベータ装置２０は、図３に示すように、昇降ユニット２２が撤去される。この昇降撤去工程では、撤去した各部材の搬出時に１階建物ユニット１１の扉ユニット２３が開かれることを除くと、各階の扉ユニット２３が閉じられた状態でロックされているので、いずれの階であってもエレベータホール１５から昇降路１４内に進入することが防止される。このことは、カゴ撤去工程と昇降撤去工程との間も同様である。
【００３０】
次に、昇降路１４を構成する構成部材１６を交換する交換工程を行う。交換工程は、昇降路１４を構成する構成部材１６の交換が必要になった場合に行うもので、実施例１では、カゴ撤去工程および昇降撤去工程を行った後であって、後述する扉撤去工程を行う前に行う。これは、カゴ撤去工程および昇降撤去工程の後では昇降路１４からはカゴユニット２１や昇降ユニット２２が撤去されていることと、扉撤去工程の前では各階の扉ユニット２３により昇降路１４への進入が防止されていることと、による。この状態は、各扉ユニット２３が各扉ユニット２３Ａに変わることを除くと、後述する扉設置工程の後であって昇降設置工程およびカゴ設置工程の前（図５参照）でも同様であるので、そこで交換工程を行うものとしてもよい。交換が必要になるとは、例えば、法改正によりエレベータの設置基準の変更に合わせる必要があることや、新たに設置するエレベータ装置（２０Ａ）の積載荷重が既存のものよりも大きくなること、等が考えられる。実施例１の交換工程では、各昇降路開口を形成する床大梁や床小梁や天井大梁や屋根補助梁を、昇降路１４を構成する構成部材１６としており、法改正に伴う新たなエレベータの設置基準に合致する構成部材１６Ａに交換する。
【００３１】
次に、図４に示すように、エレベータ装置２０の扉ユニット２３を撤去する扉撤去工程と、新たなエレベータ装置２０Ａの扉ユニット２３Ａを設置する扉設置工程と、を行う。扉撤去工程は、エレベータホール１５と昇降路１４との間に設けられた扉ユニット２３のケーブル等を取り外し、建物側扉部３７および扉枠部３６を適宜解体して撤去する。これにより、昇降撤去工程から交換工程を経て扉撤去工程が終わるまでの間は、各階の扉ユニット２３が閉じられた状態でロックされているので、いずれの階であってもエレベータホール１５から昇降路１４内に進入することが防止される。
【００３２】
この扉撤去工程の後、直ちに扉設置工程に移行する。扉設置工程は、エレベータホール１５と昇降路１４との間に建物側扉部３７Ａおよび扉枠部３６Ａを適宜組み立てて扉ユニット２３Ａを設置し、その扉ユニット２３Ａにケーブル等を接続する。この扉撤去工程と扉設置工程とは、いずれか１つの建物ユニット（１１、１２、１３）で連続して行った後に、他の１つの建物ユニット（１１、１２、１３）で連続して行い、最後の建物ユニット（１１、１２、１３）で連続して行うこととする。これにより、図５に示すように、各建物ユニット（１１、１２、１３）のエレベータホール１５と昇降路１４との間に、新たなエレベータ装置２０Ａの扉ユニット２３Ａが設置される。このため、扉設置工程が終わることで、エレベータホール１５から昇降路１４内に進入することが各扉ユニット２３Ａにより防止される。この各階の扉ユニット２３Ａも閉じられた状態でロックされる。
【００３３】
次に、エレベータ装置２０Ａの昇降ユニット２２Ａ（図６等参照）を設置する昇降設置工程を行う。昇降設置工程は、昇降路１４において、スタンド３５Ａ（図７参照）を設置し、一対のガイドレール３１Ａ（図６等参照）を設置し、スタンド３５Ａに油圧ジャッキ３３Ａ（図６等参照）を固定し、油圧装置３４Ａ（図７参照）を設置する。その後、昇降設置工程は、支持部３２Ａ（図６等参照）を油圧ジャッキ３３Ａに固定しつつ一対のガイドレール３１Ａに設け、各種のスイッチやセンサやケーブル等を昇降路１４内に設ける。これらの設置する各部材は、１階建物ユニット１１の扉ユニット２３Ａを開けて、昇降路１４から搬入する。その扉ユニット２３Ａは、搬出するとき以外には上記したように閉じた状態でロックしておく。これにより、エレベータ装置２０は、図６に示すように、昇降ユニット２２Ａが設置される。
【００３４】
次に、エレベータ装置２０Ａのカゴユニット２１Ａを設置するカゴ設置工程を行う。カゴ設置工程は、昇降路１４において、支持部３２Ａ上でカゴ部２５Ａおよびカゴ側扉部２６Ａを組み立てることで、支持部３２Ａ上に昇降ユニット２２Ａを設ける。その後、カゴ設置工程は、カゴ部２５Ａに操作パネル等の各部品を設けるとともに、それらに各種のケーブルを接続する。この組付ける各部材は、１階建物ユニット１１の扉ユニット２３Ａを開けて、昇降路１４から搬入する。その扉ユニット２３Ａは、搬入するとき以外には上記したように閉じた状態でロックしておく。これにより、エレベータ装置２０Ａは、図７に示すように、カゴユニット２１Ａが設置される。扉設置工程から昇降設置工程を経てカゴ設置工程が終わるまでの間は、設置する各部材の搬入時に１階建物ユニット１１の扉ユニット２３Ａが開かれることを除くと、各階の扉ユニット２３Ａが閉じられた状態でロックされているので、いずれの階であってもエレベータホール１５から昇降路１４内に進入することが防止されている。そして、カゴ設置工程が終了することで、昇降路１４に新たなエレベータ装置２０Ａを設けることができる。人等をカゴユニット２１Ａに載せて上下に移動することが可能となる。
【００３５】
次に、交換工程において交換する構成部材１６の一例を図８から図１０を用いて説明する。この例では、各建物ユニット（１１、１２、１３）の屋根フレーム４１は、図８に示すように、長方形状に枠組みされた天井大梁４２の内側に複数の屋根補助梁４３が架け渡されて構成されている。屋根補助梁４３は、縦方向に両天井大梁４２を架け渡す２つの屋根補助梁４４と、２つの屋根補助梁４４を横方向に架け渡す屋根補助梁４５と、を有する。屋根フレーム４１では、２つの屋根補助梁４４の一部と、屋根補助梁４５と、図８を正面視して手前側の天井大梁４２の一部と、が矩形状に枠組みされており、矩形状の昇降路開口を形成している。
【００３６】
各建物ユニット（１１、１２、１３）では、上述したように、屋根フレーム４１の昇降路開口と鉛直方向で対向される床フレーム４６の昇降路開口との間に昇降路１４が設けられ、この昇降路１４にエレベータ装置２０、２０Ａが設けられる。そして、この例では、昇降路１４において２つの屋根補助梁４４のうちの手前側の屋根補助梁４４（以下では屋根補助梁４４１とも記載）に昇降ユニット２２の一対のガイドレール３１が固定される。これに伴い、この例の交換工程では、法改正によりエレベータの設置基準の変更に合わせるために、昇降ユニット２２（一対のガイドレール３１）が固定される屋根補助梁４４１を交換する。
【００３７】
図９および図１０は、交換された後の構成部材１６Ａとしての屋根補助梁４４１を示している。屋根補助梁４４１は、梁本体部５１と、その両端に設けられたエンドプレート５２と、梁本体部５１に固定された取付金具５３と、を有する。梁本体部５１は、金属部材から為る長尺な板状部材が折り曲げられて構成され、断面Ｕ字形状（図１０参照）とされている。梁本体部５１では、断面のＵ字形状における底となる底壁部５４に、複数の梁取付用孔５５が設けられている。各梁取付用孔５５は、他の梁の端面が底壁部５４に付き当てられた状態で締結部材により固定されるために設けられている。
【００３８】
エンドプレート５２は、金属部材から為り、梁本体部５１の両端を塞ぐ板状とされている。各エンドプレート５２は、天井大梁４２に面で宛がうことが可能とされており、２つの梁取付用孔５６が設けられている。各梁取付用孔５６は、各エンドプレート５２を締結部材により天井大梁４２に固定するために設けられている。
【００３９】
取付金具５３は、一対のガイドレール３１に設けられたレールブラケットが固定される箇所を形成するものであり、この例では２つが並列されて設けられている。取付金具５３は、板状部材が断面Ｌ字形状に屈曲されて構成され、鉛直方向に伸びる梁固定板部５７と、その下端から水平方向に伸びる装置固定板部５８と、を有する。このため、梁固定板部５７と装置固定板部５８とは、互いの板平面が直交されつつ、隣接されて設けられている。
【００４０】
梁固定板部５７は、対応する梁の側面に面が宛がわれた状態で固定される箇所であり、この例では長尺方向を対応する梁が伸びる方向と一致させた状態で梁本体部５１の底壁部５４に溶接により固定される。装置固定板部５８は、昇降ユニット２２の一対のガイドレール３１（そのレールブラケット）が固定される箇所であり、４つのネジ穴５９が設けられている。各ネジ穴５９は、装置固定板部５８の長尺方向と直交する方向に伸びる長尺な長穴とされている。装置固定板部５８は、４つのネジ穴５９がレールブラケットに設けられたネジ穴と適宜対向された状態で通された締結部材により締結されることで、レールブラケットに固定される。
【００４１】
取付金具５３では、梁固定板部５７と装置固定板部５８とを連結する補強リブ６１が設けられている。補強リブ６１は、梁固定板部５７および装置固定板部５８の互いの板平面に直交する方向（法線方向）に沿って伸びる平面状とされ、梁固定板部５７と装置固定板部５８との各内側面を架け渡して固定されている。補強リブ６１は、４つのネジ穴５９の両外側の２箇所に設けられ、梁固定板部５７および装置固定板部５８に溶接されて設けられている。
【００４２】
屋根補助梁４４１は、予め梁本体部５１の底壁部５４に２つの取付金具５３が溶接により取り付けられており、交換工程において開かれた１階建物ユニット１１の扉ユニット２３（２３Ａ）から搬入される。屋根補助梁４４１は、各エンドプレート５２がそれぞれ天井大梁４２に宛がわれた状態で、梁取付用孔５６を用いて締結部材で各天井大梁４２に固定されることで、両天井大梁４２を縦方向に架け渡して設けられる（図８参照）。この屋根補助梁４４１では、取付金具５３に、ネジ穴５９を用いて一対のガイドレール３１に設けられたレールブラケットに固定される。これにより、屋根補助梁４４１は、昇降路１４において昇降ユニット２２（一対のガイドレール３１）が固定される。このように、屋根補助梁４４１は、両天井大梁４２の間を架け渡すものであって、両端に設けられた各エンドプレート５２の梁取付用孔５６を用いて締結部材で各天井大梁４２に固定できる構成であるので、容易に取り付けることができる。また、交換前の屋根補助梁も同様の構成であれば、その既存の屋根補助梁の撤去も容易に行うことができる。
【００４３】
このように、エレベータの改修方法では、既に設置されたエレベータ装置２０を撤去する際、カゴ撤去工程および昇降撤去工程の後で最後に扉撤去工程を行うので、最後の工程に至るまでエレベータホール１５と昇降路１４との間に各扉ユニット２３を位置させることができる。ここで、各扉ユニット２３は、エレベータ装置２０を構成する一部として予め設置されているものであって、エレベータホール１５から昇降路１４への進入口を開閉可能に設けられている。このため、エレベータの改修方法では、各階のエレベータホール１５と昇降路１４との間を塞いで昇降路１４への進入を防止するための進入防止工程を行わなくても、最後まで残した各扉ユニット２３でエレベータホール１５から昇降路１４へと進入することを防止することができる。
【００４４】
また、エレベータの改修方法では、既存のエレベータ装置２０の撤去に続いて新たなエレベータ装置２０Ａを設置する際、扉撤去工程の後に先ず扉設置工程を最初に行い、その後にカゴ設置工程および昇降設置工程を行う。このため、エレベータの改修方法は、進入防止工程を行わなくても、最初にエレベータホール１５と昇降路１４との間に設置した各扉ユニット２３Ａで各階のエレベータホール１５から昇降路１４へと進入すること防止することができる。特に、実施例１のエレベータの改修方法は、既存のエレベータ装置２０の撤去における扉撤去工程の直後に、新たなエレベータ装置２０Ａの設置における扉設置工程を行う。このため、実施例１のエレベータの改修方法は、扉撤去工程と扉設置工程とにおいて各エレベータホール１５と昇降路１４との間に何もない時間を極めて短くできるとともに、その何もない時間では撤去または設置の作業を行っていることで昇降路１４への進入を防止できる。
【００４５】
本開示に係るエレベータの改修方法の一実施例のエレベータの改修方法は、以下の各作用効果を得ることができる。
【００４６】
エレベータの改修方法は、カゴユニット２１を撤去するカゴ撤去工程と、昇降ユニット２２を撤去する昇降撤去工程と、扉ユニット２３を撤去する扉撤去工程と、の中で、扉撤去工程を最後に行う。このため、エレベータの改修方法は、既存のエレベータ装置２０を撤去する際に、最後までエレベータホール１５と昇降路１４との間に各扉ユニット２３を残しているので、進入防止工程を行わなくても各扉ユニット２３で各階のエレベータホール１５から昇降路１４への進入を防ぐことができる。
【００４７】
また、エレベータの改修方法は、扉撤去工程の後であって、新たなカゴユニット２１を設置するカゴ設置工程と、新たな昇降ユニット２２を設置する昇降設置工程と、新たな扉ユニット２３を設置する扉設置工程と、の中で、扉設置工程を最初に行う。このため、エレベータの改修方法は、新たなエレベータ装置２０Ａを設置する際に、最初にエレベータホール１５と昇降路１４との間に各扉ユニット２３Ａを設置するので、進入防止工程を行わなくても各扉ユニット２３Ａで各階のエレベータホール１５から昇降路１４への進入を防ぐことができる。
【００４８】
さらに、エレベータの改修方法は、カゴ撤去工程および昇降撤去工程を行った後であって、扉撤去工程を行う前に、昇降路１４を構成する構成部材１６を交換する交換工程を行う。このため、エレベータの改修方法は、進入防止工程を行わなくても、各エレベータホール１５から昇降路１４への進入を各扉ユニット２３で防止しつつ昇降路１４に何もない状態で、交換工程を行うことができる。
【００４９】
エレベータの改修方法は、扉設置工程を行った後であって、カゴ設置工程および昇降設置工程を行う前に、昇降路１４を構成する構成部材１６を交換する交換工程を行う。このため、エレベータの改修方法は、進入防止工程を行わなくても、各エレベータホール１５から昇降路１４への進入を各扉ユニット２３Ａで防止しつつ昇降路１４に何もない状態で、交換工程を行うことができる。
【００５０】
エレベータの改修方法は、カゴ撤去工程および昇降撤去工程を行うときは、扉ユニット２３を閉じた状態で固定している。このため、エレベータの改修方法は、各エレベータホール１５から昇降路１４への進入をより確実に防止できる。
【００５１】
エレベータの改修方法は、カゴ設置工程および昇降設置工程を行うときは、新たな扉ユニット２３Ａを閉じた状態で固定している。このため、エレベータの改修方法は、各エレベータホール１５から昇降路１４への進入をより確実に防止できる。
【００５２】
エレベータの改修方法は、各エレベータホール１５から昇降路１４への進入を各扉ユニット２３、２３Ａで防止できるので、住人等がユニット建物１０を利用したままでも、既存のエレベータ装置２０の撤去や新たなエレベータ装置２０Ａの設置等のエレベータ装置の改修を、進入防止工程を行うことなく安全に行うことができる。
【００５３】
したがって、本開示に係るエレベータの改修方法としての実施例１のエレベータの改修方法は、昇降路１４への進入を防ぐ進入防止工程を行うことなく昇降路１４への侵入を防止できる。
【００５４】
以上、本開示のエレベータの改修方法を実施例１に基づき説明してきたが、具体的な構成については実施例１に限られるものではなく、特許請求の範囲の各請求項に係る発明の要旨を逸脱しない限り、設計の変更や追加等は許容される。
【００５５】
例えば、実施例１では、適用する建物として１階建物ユニット１１と２階建物ユニット１２と３階建物ユニット１３とで構成されたユニット建物１０を例示している。しかしながら、適用する建物は、エレベータ装置（２０、２０Ａ）を設ける昇降路１４が鉛直方向に延びて設けられていれば、２つの建物ユニット（昇降路１４）を鉛直方向に重ねたものでもよく、４つ以上の建物ユニット（昇降路１４）を鉛直方向に重ねたものでもよく、他の構成の建物でもよく、実施例１の構成に限定されない。
【００５６】
また、実施例１では、昇降ユニット２２においてカゴユニット２１が載せられた支持部３２を上下駆動するための駆動手段として油圧ジャッキ３３を用いる例を示したが、他の例でもよく、実施例１の構成に限定されない。この他の例としては、ワイヤでカゴユニットを吊り下げて上下するものがあり、この場合、ワイヤを巻き取って駆動するための駆動手段を最下階の建物ユニットに取付けるものがある。このワイヤにより吊り下げるものは、最上階の建物ユニットにワイヤ吊り下げるための滑車を取付け、ワイヤの一端部をかごに固定し、滑車に掛けたワイヤの他端を最下階の建物ユニットに設ける駆動手段に取付けることで構成できる。
【００５７】
さらに、実施例１では、エレベータの改修方法が、既存のエレベータ装置２０を撤去した後に新たなエレベータ装置２０Ａを設置するものとしていたが、既存のエレベータ装置２０を撤去するだけのものでもよい。この場合、例えば、カゴ撤去工程および昇降撤去工程の後に、各建物ユニット（１１、１２、１３）の昇降路１４に利用目的に沿うものを形成する形成工程を行い、その後に扉撤去工程を行うことで、作業が終わるまでの間、実施例１と同様に各エレベータホール１５から昇降路１４への進入を各扉ユニット２３で防止できる。その利用目的に沿うとは、例えば、昇降路１４を階毎の空間として利用する場合には床を形成することや、昇降路１４に階段を設ける場合には階段を設置すること、があげられる。
【符号の説明】
【００５８】
１０  （建物の一例としての）ユニット建物      １４  昇降路      １５  エレベータホール      １６  構成部材      ２１  カゴユニット      ２１Ａ  （新たな）カゴユニット      ２２  昇降ユニット      ２２Ａ  （新たな）昇降ユニット      ２３  扉ユニット      ２３Ａ  （新たな）扉ユニット      ２４  積載空間
【図１】
2019167214.tif 000003
【図２】
2019167214.tif 000004
【図３】
2019167214.tif 000005
【図４】
2019167214.tif 000006
【図５】
2019167214.tif 000007
【図６】
2019167214.tif 000008
【図７】
2019167214.tif 000009
【図８】
2019167214.tif 000010
【図９】
2019167214.tif 000011
【図１０】
2019167214.tif 000012